(57)【要約】      （修正有）【課題】短時間で左右対称の眉を容易に描くことを補助する眉描き補助具を提供する。【解決手段】眉描き補助具１０は、板状の本体部１１と、本体部１１に連結された右側テンプル１２Ｒと、本体部１１に連結された左側テンプル１２Ｌとを備え、本体部１１が、左右の目に対応して配置される２つの第１開口部１４Ｌ及び１４Ｒと、左右の眉を描くための２つの第２開口部１３Ｌ及び１３Ｒとを備えて湾曲してなり、鼻骨に対応する形状の鼻骨位置決め部２０が裏側の中央下部に形成される。【選択図】図２
0003220989.tif 000002
【実用新案登録請求の範囲】
【請求項１】
板状の本体部と、
前記本体部に連結された右側テンプルと、
前記本体部に連結された左側テンプルとを備える眉描き補助具であって、
前記本体部が、左右の目に対応して配置される２つの第１開口部と、左右の眉を描くための２つの第２開口部とを備えて湾曲してなり、鼻骨に対応する鼻骨位置決め部が裏側の中央下部に形成されていることを特徴とする眉描き補助具。
【考案の詳細な説明】
【技術分野】
【０００１】
本考案は、左右の眉を描くために用いる眉描き補助具に関する。
【背景技術】
【０００２】
人の顔は眉の形によって大きく印象が変わるため、美容において左右の眉を対称にバランス良く描くことが重要となる。
【０００３】
例えば、特許文献１には、アイブロウペンシルや刷毛等の眉描写具を保持した状態で眉を描く化粧用眼鏡フレームが開示されている。
【０００４】
しかしながら、特許文献１に開示されるような従来の眉描き補助具は概して複雑な構造を有しており、闘病中の人などにとっては扱いが難しく、短時間で左右対称の眉を描くことが容易とは言えなかった。また、従来の眉描き補助具は、眉描き補助具そのものを顔に密着させて固定するものではなかったため、眉を描く際に眉描き補助具が安定しないという課題が存在していた。
【先行技術文献】
【特許文献】
【０００５】
【特許文献１】特開２００６−０４７６１５号公報
【考案の概要】
【考案が解決しようとする課題】
【０００６】
本考案は、以上のような事情に鑑みてなされたものである。即ち、本考案は、短時間で左右対称の眉を容易に描くことを補助する眉描き補助具を提供することを目的とする。
【課題を解決するための手段】
【０００７】
以上の課題を解決するために、本考案に係る眉描き補助具は、板状の本体部と、本体部に連結された右側テンプルと、本体部に連結された左側テンプルとを備える眉描き補助具であって、本体部が、左右の目に対応して配置される２つの第１開口部と、左右の眉を描くための２つの第２開口部とを備えて湾曲してなり、鼻骨に対応する鼻骨位置決め部が裏側の中央下部に形成されていることを特徴とする。
【考案の効果】
【０００８】
本考案によれば、短時間で左右対称の眉を容易に描くことを補助する眉描き補助具を提供できる。
【図面の簡単な説明】
【０００９】
【図１】本考案に係る眉描き補助具を示した図である。
【図２】本考案に係る眉描き補助具を示した図である。
【図３】本考案に係る眉描き補助具の鼻骨位置決め部を示したＡ−Ａ線端面図である。
【図４】人体の頭蓋骨を示した図である。
【図５】本考案に係る眉描き補助具を使用した状態を示した図である。
【考案を実施するための形態】
【００１０】
以下、図面を参照しながら本考案に係る眉描き補助具を詳細に説明する。なお、同一のものについては、全ての図面を通して共通の参照符号を用いて示している。
【００１１】
まず、図１乃至図３を参照しながら、本考案に係る眉描き補助具１０の構成を説明する。
【００１２】
図１は、本考案に係る眉描き補助具１０を正面（表側）から示した図である。図２は、本考案に係る眉描き補助具１０を上方から示した図である。図３は、本考案に係る眉描き補助具１０の鼻骨位置決め部２０を示したＡ−Ａ線端面図である。図示されるように、眉描き補助具１０は、板状の本体部１１と、本体部１１に連結された左側テンプル１２Ｌと、本体部１１に連結された右側テンプル１２Ｒとで構成されている。本体部１１には、左右の目に対応する位置に設けられた第１開口部１４Ｌ及び１４Ｒと、左右の眉に対応する位置に設けられた第２開口部１３Ｌ及び１３Ｒと、鼻骨位置決め部２０とが形成されている。本体部１１、左側テンプル１２Ｌ及び右側テンプル１２Ｒの素材については特に限定されず、セルロイド素材やウルテム素材など、種々の素材から任意に選択して良い。なお、左側テンプル１２Ｌ及び右側テンプル１２Ｒは、丁番（ヒンジ）を介して本体部１１に連結されることで折りたたみ自在であることが好ましい。
【００１３】
本体部１１について詳述すると、板状の本体部１１は、中心部から左側テンプル１２Ｌ及び右側テンプル１２Ｒが連結される両端部にかけて、顔に装着した際に顔面のカーブに沿うように湾曲して形成されている。これにより、眉描き補助具１０を顔に装着した際、眉のテンプレートとなる第２開口部１３Ｌ及び１３Ｒが、顔面のカーブに合わせて少なくとも眉頭から眉山まで皮膚に接する。
【００１４】
鼻骨位置決め部２０について詳述すると、本体部１１の裏側の中央下部に形成されている鼻骨位置決め部２０は、人体の鼻骨４２の形状に沿う（対応する）傾斜を有して構成されている。この鼻骨位置決め部２０は、本体部１１を顔に装着する際に鼻骨４２に接触する部位であり、鼻根点４３（顔面中心における前頭骨４１と鼻骨４２との境界部）から下の範囲において、眉の高さを任意に調節して位置決めするためのものである。なお、眉描き補助具１０を装着する際は、まず鼻骨位置決め２０の縦方向の位置を調節して眉の高さを決定し、左側テンプル１２Ｌ及び右側テンプル１２Ｒを左右対称に上下に移動させるようにして本体部１１の上部を眉間点（額）に接触させて固定する。ここで、眉描き補助具１０を装着する際は本体部１１の中心を表側から指で押さえるようにして固定しても良い。なお、本体部１１の中心を表側から指で押さえると、それに伴って左側テンプル１２Ｌ及び右側テンプル１２Ｒが持ち上がることがあるが、左側テンプル１２Ｌ及び右側テンプル１２Ｒは同時に持ち上がるため、両テンプルによる固定のバランスは保たれる。
【００１５】
図４は、人体の頭蓋骨４０を示した図である。頭蓋骨４０は、前頭骨４１及び鼻骨４２とを有して構成されており、上述のように鼻骨位置決め部２０が備える傾斜は、鼻骨４２の形状に対応するように形成されている。なお、本明細書においては上述のように、顔面中心における前頭骨４１と鼻骨４２との境界部（連結部）を鼻根点４３と定義している。
【００１６】
次に、図５を参照しながら、本考案に係る眉描き補助具１０の使用方法及び使用状態を説明する。
【００１７】
図５は、ユーザー５０が眉描き補助具１０を顔に装着した状態を示した図である。図示されるように、眉描き補助具１０は、鼻骨位置決め部２０が接触する鼻根点４３、左側テンプル１２Ｌ及び右側テンプル１２Ｒが接触する側頭骨４４並びに額の位置で固定され、顔に装着されている。眉描き補助具１０を顔に装着することで左右対称に眉を描くためのテンプレートとなる第２開口部１３Ｌ及び１３Ｒが所望の位置に固定されるため、ユーザー５０は、アイブロウペンシル（図示せず）を用いて第２開口部１３Ｌ及び１３Ｒの内部を塗ることで、第１開口部１４Ｌ及び１４Ｒを通して両目で目視しながら短時間で左右対称の眉を容易に描くことができる。なお、従来の眉描き補助具と異なり、本考案に係る眉描き補助具１０の第１開口部１４Ｌ及び１４Ｒにはレンズなどが装着されてないため、まつ毛が接触する不都合は生じない。また、従来の眉描き補助具のように鼻当てを用いる場合は鼻の高さによって装着感・使用感が左右されるが、本考案に係る眉描き補助具１０は鼻当てを必要としないため、鼻の高さの個人差によって装着感・使用感が左右されることがない。
【００１８】
なお、第２開口部１３Ｌ及び１３Ｒは、美しい眉の形状の比率（いわゆる黄金比）に基づいて計算された眉型となっている。また、頭蓋骨４０の形や大きさには個人差があるため、眉山から眉尻までの距離及び眉山の位置は、各ユーザーが好みに応じて微調整しても良い。その場合、眉描き補助具１０を用いて眉頭から眉山までの任意の範囲を描いた後、眉尻までの残りの範囲は眉描き補助具１０を顔から外した上で描いても良い。
【００１９】
以上、本考案の好適な実施形態について説明したが、本考案は上記の実施形態に限定されるものではなく、本考案の趣旨を逸脱しない範囲において種々の改変が可能であることは言うまでもない。
【産業上の利用可能性】
【００２０】
本考案に係る眉描き補助具によれば、毛根を失う脱毛や視力低下などによって眉を描くことが困難な場合であっても短時間で美しく眉を整える効果を発揮することができるため、人々の生活の質（ＱＯＬ）の向上に寄与する。
【符号の説明】
【００２１】
１０    眉描き補助具
１１    本体部
１２Ｌ  左側テンプル
１２Ｒ  右側テンプル
１３Ｌ  第２開口部
１３Ｒ  第２開口部
１４Ｌ  第１開口部
１４Ｒ  第１開口部
２０    鼻骨位置決め部
４０    頭蓋骨
４１    前頭骨
４２    鼻骨
４３    鼻根点
４４    側頭骨
５０    ユーザー
５１Ｌ  左耳
５２Ｌ  左目
【図１】
0003220989.tif 000003
【図２】
0003220989.tif 000004
【図３】
0003220989.tif 000005
【図４】
0003220989.tif 000006
【図５】
0003220989.tif 000007